(57)【要約】【課題】映像を観る者に対して感動または驚愕を与えることができる映像表示方法を提供する。【解決手段】収録された映像である収録映像情報の一部を、リアルタイムの映像であるリアルタイム映像情報へ置き換える置換工程と、置換工程によって一部がリアルタイム映像情報に置き換えられた収録映像情報を表示する表示工程とを備える映像表示方法。置換工程において、収録映像情報の置き換えられる一部の内容に相当する内容のリアルタイム映像情報へ置き換える。【選択図】図１
2010217679.tif 000002
【特許請求の範囲】
【請求項１】
収録された映像である収録映像情報の一部を、リアルタイムの映像であるリアルタイム映像情報へ置き換える置換工程と、
該置換工程によって一部が前記リアルタイム映像情報に置き換えられた前記収録映像情報を表示する表示工程とを備える
映像表示方法。
【請求項２】
前記置換工程において、前記収録映像情報の置き換えられる一部の内容と異なる内容の前記リアルタイム映像情報へ置き換える
請求項１に記載の映像表示方法。
【請求項３】
前記置換工程において、前記収録映像情報の置き換えられる一部の内容に相当する内容の前記リアルタイム映像情報へ置き換える
請求項１に記載の映像表示方法。
【請求項４】
収録された映像である収録映像情報に、リアルタイムの映像であるリアルタイム映像情報を付加する付加工程と、
該付加工程によって付加された前記リアルタイム映像情報及び、前記収録映像情報を表示する表示工程とを備える
映像表示方法。
【発明の詳細な説明】
【技術分野】
【０００１】
本発明は映像表示方法に関する。詳しくは、映画の映像を表示する映像表示方法に係るものである。
【背景技術】
【０００２】
映画環境は、デジタル技術の進歩によってフィルムからデジタルデータへと変化し、また近年はデジタルによる上映が可能なデジタルプロジェクタ、上映サーバ等からなる上映装置を導入した上映館が多数登場するなど、本格的なデジタルシネマ時代が到来しつつある。
【０００３】
また、映画の上映では、画質が一時的に低下したとしても、上映が一時的でも途切れずに連続する方が、観客の不満が少ないので、デジタルシネマ用上映サーバは、再生データの出力が一定時間に間に合わなければ、多少品質が悪くとも、そのまま待つことなく出力してしまう。
また、上映トラブルに対処する技術として、例えば特許文献１には、デジタルシネマの上映装置において、上映中に電源断が生じたときに、再生再開位置を決定して上映を再開する方法が開示されている。
【先行技術文献】
【特許文献】
【０００４】
【特許文献１】特開２００６−３３１４８０号公報
【発明の概要】
【発明が解決しようとする課題】
【０００５】
しかしながら、近年のデジタル化により、ＣＧ（コンピュータグラフィック）を使用して、過去の技術では映像化できなかった動作、風景、建物等を実際に存在するかのように映像化しているが、ＣＧと実際の映像とでは、依然として違いがあるので、ＣＧ技術の多用によって映画本来の感動または驚愕に欠ける傾向がある。
【０００６】
本発明は、以上の点に鑑みて創案されたものであり、映像を観る者に対して感動または驚愕を与えることができる映像表示方法を提供することを目的とする。
【課題を解決するための手段】
【０００７】
上記の目的を達成するために、本発明の映像表示方法は、収録された映像である収録映像情報の一部を、リアルタイムの映像であるリアルタイム映像情報へ置き換える置換工程と、該置換工程によって一部が前記リアルタイム映像情報に置き換えられた前記収録映像情報を表示する表示工程とを備える。
【０００８】
ここで、置換工程によって一部がリアルタイム映像情報に置き換えられた収録映像情報を表示する表示工程によって、映画などの収録映像情報にリアルタイム映像（ライブ映像）を取り込んで、これらを表示できるので、今までの映画の映像表示とは違った印象を観客に与えることができる。
【０００９】
また、本発明の映像表示方法では、置換工程において、収録映像情報の置き換えられる一部の内容と異なる内容のリアルタイム映像情報へ置き換えることができる。
【００１０】
また、本発明の映像表示方法では、置換工程において、収録映像情報の置き換えられる一部の内容に相当する内容のリアルタイム映像情報へ置き換えることができる。
【００１１】
また、上記の目的を達成するために、本発明の映像表示方法は、収録された映像である収録映像情報に、リアルタイムの映像であるリアルタイム映像情報を付加する付加工程と、該付加工程によって付加された前記リアルタイム映像情報及び、前記収録映像情報を表示する表示工程とを備える。
【００１２】
ここで、付加工程によって付加されたリアルタイム映像情報及び、収録映像情報を表示する表示工程によって、映画などの収録映像情報にリアルタイム映像（ライブ映像）を取り込んで、これらを表示できるので、今までの映画の映像表示とは違った印象を観客に与えることができる。
【発明の効果】
【００１３】
本発明に係る映像表示方法は、映像を観る者に対して感動または驚愕を与えることができる。
【図面の簡単な説明】
【００１４】
【図１】本発明の映像表示方法によって映画館において表示される映像の流れの一例を示す概略図である。
【図２】本発明の映像表示方法によって映画館において表示される映像の流れの他の例を示す概略図である。
【発明を実施するための形態】
【００１５】
以下、本発明の実施の形態について図面を参照しながら説明し、本発明の理解に供する。
図１は、本発明の映像表示方法によって映画館において表示される映像の流れの一例を示す概略図である。図１において、矢印は映像の流れの進行方向を示す。
また、一般的に、映画を構成する収録映像は複数のシーンに分けられており、大別すると「スタート（起）」、「出来事（承）」、「変化（転）」、「ラスト（結）」そして「エンディング」という５種類のシーンがあるが、図１に示すように、本発明の映像表示方法は、収録映像の５種類のシーンのうち「エンディング」を、収録された「エンディング」の内容に相当する内容のライブ映像（リアルタイム映像）へ置き換え、さらに置き換えたライブ映像の「エンディング」の後に、「上映初日の映画館のライブ映像」を付加する。
そして、一部がライブ映像に置き換えられた収録映像及び付加されたライブ映像（即ち、収録映像である、「スタート（起）」、「出来事（承）」、「変化（転）」及び「ラスト（結）」、置き換えたライブ映像である「エンディング」、並びに付加されたライブ映像である「上映初日の映画館のライブ映像」）を映画館において表示する。
また、ライブ映像には、ライブ映像である旨の表示が含まれている。
【００１６】
図２は、本発明の映像表示方法によって映画館において表示される映像の流れの他の例を示す概略図である。図２において、矢印は映像の流れの進行方向を示す。
図２に示すように、本発明の映像表示方法は、収録映像の５種類のシーンのうち「スタート（起）」を、収録された「スタート（起）」の内容に相当する内容のライブ映像へ置き換える。
そして、一部がライブ映像に置き換えられた収録映像（即ち、置き換えたライブ映像である「スタート（起）」、並びに収録映像である、「出来事（承）」、「変化（転）」、「ラスト（結）」及び「エンディング」）を映画館において表示する。
【００１７】
ここで、収録映像の５種類のシーンのうち１種類のシーンをライブ映像に置き換えた例を説明しているが、すべてのシーンをライブ映像に置き換えないのであれば、２種類以上のシーンをライブ映像に置き換えてもよい。また、「エンディング」や「スタート（起）」以外のシーンをライブ映像に置き換えてもよいことは勿論である。
また、説明を簡略化するために、シーンの種類を５つに分けているが、実際の収録映像は、さらに多くのシーンに分けられており、それぞれのシーンをライブ映像に置き換えてもよいことは勿論である。
また、置き換えられる収録映像の内容に相当する内容のライブ映像へ置き換えているが、置き換えられる収録映像の内容と異なる内容のライブ映像へ置き換えてもよい。
【００１８】
以上のように、本発明の映像表示方法は、一部がライブ映像に置き換えられた収録映像を映画館において表示するので、今までの映画の映像表示とは違った印象を観客に与えることができ、よって、映像を観る者に対して感動または驚愕を与えることができる。
また、本発明の映像表示方法は、付加されたライブ映像と収録映像とを映画館において表示するので、今までの映画の映像表示とは違った印象を観客に与えることができ、よって、映像を観る者に対して感動または驚愕を与えることができる。
【００１９】
また、ライブ映像には、ライブ映像である旨の表示が含まれているので、観客は、ライブ映像であることを認識しやすくなり、より一層、感動または驚愕を覚えることとなる。
【図１】
2010217679.tif 000003
【図２】
2010217679.tif 000004